(57)【要約】【課題】プリンタの印字済み用紙の汚染を防ぐことができて使い勝手のよいプリンタ内蔵の自動分析装置を提供する。【解決手段】サンプルディスク１１０、試薬ディスク１２０、反応ディスク、サンプル分注機構、及び試薬分注機構が配置された筺体上部の前端１０１から後退して筐体前面壁１０２を設け、筐体前面壁にプリンタ２００及び用紙受け部２１０を備える。筐体前面壁から張り出した筐体上部の前端部が庇の役割を果たして、筐体上部でこぼれたサンプルや試薬がプリンタやプリンタ用紙にかかるのを防ぐ。【選択図】図４
2015049154.tif 000002
【特許請求の範囲】
【請求項１】
複数のサンプルを保持するサンプルディスク、複数種の試薬を保持する試薬ディスク、複数の反応セルを保持する反応ディスク、前記サンプルを前記反応ディスクに保持された前記反応セルに分注するサンプル分注機構、及び前記試薬を前記反応ディスクに保持された前記反応セルに分注する試薬分注機構が配置された筺体上部と、
前記筐体上部の前端から後退して設けられた筐体前面壁と、
前記筐体前面壁に配置されたプリンタと、
を備えることを特徴とする自動分析装置。
【請求項２】
請求項１記載の自動分析装置において、
前記筺体前面壁には前記プリンタから排出される用紙を受ける用紙受け部が前記プリンタの下方に配置されていることを特徴とする自動分析装置。
【請求項３】
請求項２記載の自動分析装置において、
前記プリンタ及び用紙受け部が配置された前記筐体前面壁を覆う開閉自在の前面扉が設けられ、
前記前面扉には、当該前面扉を閉じた状態で前記プリンタから排出される用紙を通過させることのできる開口が設けられていることを特徴とする自動分析装置。
【請求項４】
請求項３記載の自動分析装置において、
前記前面扉には前記プリンタに対応する個所に扉表面から窪ませた窓部が形成され、
前記窓部は前記プリンタに対向する底面、前記扉表面と前記底面とを接続する上面、左右の側面及び下面によって画成され、前記開口は前記底面と前記下面を跨いで設けられていることを特徴とする自動分析装置。
【請求項５】
請求項４記載の自動分析装置において、
前記下面は前記底面から前記扉表面に向けて下向きに傾斜して形成され、前記開口を前記左右の側面側及び前記扉表面側から囲んだ枠状の形状を有することを特徴とする自動分析装置。
【請求項６】
請求項１記載の自動分析装置において、
前記プリンタには、前記プリンタから排出される用紙の排出方向を変更する排出方向切り替え手段が設けられていることを特徴とする自動分析装置。
【請求項７】
請求項１記載の自動分析装置において、
前記プリンタは、用紙排出部が前記筐体上部の前端より筐体側に引っ込んで位置することを特徴とする自動分析装置。
【発明の詳細な説明】
【技術分野】
【０００１】
本発明は、  本発明は、血液や尿などの生体サンプルを分析する自動分析装置に関する。
【背景技術】
【０００２】
医療診断用の臨床検査においては、血液や尿などの生体サンプル中のタンパク、糖、脂質、酵素、ホルモン、無機イオン、疾患マーカー等の生化学分析や免疫学的分析を行う。臨床検査では、複数の検査項目を信頼度高くかつ高速に処理する必要があるため、その大部分を自動分析装置で実行している。
【０００３】
自動分析装置で測定される反応には主に基質と酵素との呈色反応と、抗原と抗体との免疫反応の２種類がある。前者の反応を用いた分析は生化学分析と呼ばれ、検査項目としてＬＤＨ、ＡＬＰ、ＡＳＴなどがある。生化学分析は、例えば、血清等のサンプルに所望の試薬を混合して反応させた反応液を分析対象とし、その吸光度を測定することで行われる。後者の反応を用いた分析は免疫分析と呼ばれ、検査項目としてＣＲＰ、ＩｇＧ、ＲＦなどがある。後者で測定される被測定物質の中には、血中濃度が低い低濃度領域において定量が要求される検査項目が存在し、そのような項目では、表面に抗体を感作（結合）させたラテックス粒子を増感剤として用いたラテックス免疫分析が用いられる。
【０００４】
自動分析装置には、分析結果等を記録用紙に印字して出力するプリンタが付属しているものがある。特許文献１には、筺体上部にプリンタを配置した生化学分析装置が開示されている。また、特許文献２には、装置前部にプリンタを配置した生化学分析装置が開示されている。
【先行技術文献】
【特許文献】
【０００５】
【特許文献１】特開平３−７８６４６号公報
【特許文献２】特開２００７−３２２２０８号公報
【発明の概要】
【発明が解決しようとする課題】
【０００６】
小型の自動分析装置にプリンタを内蔵させる場合、熱転写式などの小型・軽量で保守の容易なプリンタが使われることが多い。その場合、記録用紙としてロール状に巻かれた長尺のロール紙が使われる。また、自動分析装置へのプリンタの配置場所に関しては、装置上面、装置側面、装置前面など様々な場所が考えられる。印字後のロール紙は、長く連続する用紙としてプリンタから排出される。装置上面にプリンタを配置した場合の記録用紙の排出方向としては装置前方と装置後方が考えられる。装置側面にプリンタを設置した場合の記録用紙の排出方向は装置側方である。また、装置前面にプリンタを設置した場合の記録用紙の排出方向は装置前面となる。
【０００７】
ここで、印字後の用紙排出方向を装置後方とした場合、自動分析装置の背面に記録済み用紙が垂れ下がるようにして排出されるため、装置と壁の間に空間が必要となり、装置を壁に接近させて配置することができない。また、自動分析装置の背面から記録済みのロール紙を取り出すのに手間がかかる等の問題もある。印字後の用紙排出方向が装置側方である場合、用紙排出側の装置側面に他の機器を近接して配置することができず、スペースの有効利用の観点で問題がある。また、生体サンプルや液体試薬等の液体を取り扱う自動分析装置の場合、いくら注意を払っても生体サンプルや試薬が置かれる装置上面はこぼれた液体で汚れることがある。自動分析装置の上面で長尺のロール紙を搬送すると、装置上面にこぼれている液体が用紙に付着して用紙を汚染する場合がある。そのため、記録用紙を装置上面で搬送する形態は避けたいところである。
【０００８】
このようにオペレータの作業性や装置設置スペースの節約という点からすると、自動分析装置に内蔵させるプリンタの配設場所としては装置前面壁が望ましい。しかし、液体を取り扱う自動分析装置では誤ってこぼされたサンプルや試薬が装置上面から装置前面壁に沿って伝わり落ちてくる場合がある。すると、装置前面壁に配設されたプリンタやプリンタから排出された長尺の印字済みロール紙がサンプルや試薬によって汚染される事態が生じる。記録用紙がサンプルや試薬で汚染されると印字が不鮮明になるだけでなく衛生上の問題も生じるが、従来はこのようにプリンタから排出されたロール紙の汚染を回避するための工夫がなされていなかった。
【０００９】
本発明は、誤ってこぼされたサンプルや試薬等の液体によってプリンタや印字済み用紙の汚染を防ぐことができて使い勝手のよいプリンタ内蔵の自動分析装置を提供するものである。
【課題を解決するための手段】
【００１０】
本発明の自動分析装置は、複数のサンプルを保持するサンプルディスク、複数種の試薬を保持する試薬ディスク、複数の反応セルを保持する反応ディスク、サンプルを反応ディスクに保持された反応セルに分注するサンプル分注機構、及び試薬を反応ディスクに保持された反応セルに分注する試薬分注機構が配置された筺体上部と、筐体上部の前端から後退して設けられた筐体前面壁と、筐体前面壁に配置されたプリンタとを備える。筺体前面壁のプリンタの下方には、プリンタから排出される用紙を受ける用紙受け部を配置することができる。
【００１１】
この構造とすることにより、筐体前面壁に対して張り出した筐体上部の前端部分は、プリンタの上方を覆って保護する庇の役割を果たす。従って、仮に筐体上部でサンプルや試薬がこぼされ、それが筐体上部から滴下してきたとしても、プリンタや印字済みの用紙が汚染されることはない。
【００１２】
プリンタ及び用紙受け部が配置された筐体前面壁を覆う開閉自在の前面扉を設け、前面扉に、前面扉を閉じた状態でプリンタから排出される用紙を通過させることのできる開口を設けるようにしてもよい。
【００１３】
具体的態様として、前面扉にプリンタに対応する個所に扉表面から窪ませた窓部を形成し、窓部をプリンタに対向する底面、扉表面と底面とを接続する上面、左右の側面及び下面によって画成し、開口は底面と下面を跨いで設けてもよい。
【００１４】
ここで、下面を、底面から扉表面に向けて下向きに傾斜し、開口を左右の側面側及び扉表面側から囲んだ枠状の形状としてもよい。
【００１５】
プリンタには、プリンタから排出される用紙の排出方向を変更する排出方向切り替え手段を設けてもよい。
【００１６】
また、プリンタは、用紙排出部が筐体上部の前端より筐体側に引っ込んで位置するのが好ましい。
【発明の効果】
【００１７】
本発明によると、装置前面壁にプリンタを配置し、かつ、プリンタから排出された印字済み用紙がサンプルや試薬によって汚染されることを防ぐことができる。
【００１８】
上記した以外の、課題、構成及び効果は、以下の実施形態の説明により明らかにされる。
【図面の簡単な説明】
【００１９】
【図１】自動分析装置の筐体上部における要素の概略配置図。
【図２】自動分析装置の全体構成例を示す図。
【図３】透過光測定部の概略図。
【図４】本発明による自動分析装置の一実施例を示す概略図。
【図５】プリンタと用紙受け部を含む筐体前面壁及びそれに繋がる筐体上部の一例の断面模式図。
【図６】プリンタと用紙受け部を含む筐体前面壁及びそれに繋がる筐体上部の一例の断面模式図。
【図７】前面扉を備える自動分析装置の実施例を示す概略図。
【図８】前面扉を閉めた状態を示す概略図。
【図９】前面扉を閉めた状態の断面模式図。
【図１０】前面扉を備える自動分析装置の実施例を示す断面模式図。
【発明を実施するための形態】
【００２０】
以下、図面を参照して本発明の実施の形態を説明する。
【００２１】
図１は、本発明による自動分析装置の一例の筺体上部１００における要素の概略配置を示す図である。本実施例の自動分析装置は、筺体上部１００に、サンプルディスク１１０、試薬ディスク１２０、反応ディスク１３０、サンプル分注機構１４０、試薬分注機構１５０が配置されている。本実施例では、筐体上部１００において、反応ディスク１３０を左奥に配置し、反応ディスク１３０の右手前に試薬ディスク１２０と試薬分注機構１５０を配置した。また、反応ディスク１３０の左手前に、サンプルディスク１１０とサンプル分注機構１４０を配置した。試薬ディスク１２０は、試薬を保存するために、冷蔵機能を備えており、その上部は試薬ディスク蓋で覆われている。ここでは、試薬ディスクを単一としたが、複数配置しても良いことは云うまでも無く、試薬ディスクの数や配置に応じて試薬分注機構を増やすことも可能である。筐体上部の手前側には液晶ディスプレイなどの表示部１６０が配置されている。
【００２２】
なお、自動分析装置は、反応セル内で混合液を攪拌するための攪拌部、反応セルを洗浄するための反応セル洗浄部、分注機構のノズルを洗浄するためのノズル洗浄部等を備える。また、筺体の内部には、自動分析装置を構成する図示しない各機器や、それらの機器を駆動するための電源、制御機構、恒温槽、洗浄ポンプなどが設けられている。これらは、本発明の構成として重要なものではなく、従来の自動分析装置にも備えられているものであるので、図示及び詳細な説明を省略する。
【００２３】
本実施例の自動分析装置は波長分散素子として回折格子を備え、所定の波長でサンプルの吸光度測定を行う。筺体内には、反応ディスク１３０の円周上の決められた領域に、反応液を透過した透過光を分光分析するための透過光測定部１７０が配置されている。
【００２４】
図２は、図１に示した自動分析装置の制御系も含めた全体構成例を示す概略図である。
【００２５】
サンプルディスク１１０には、サンプルを収めたサンプルカップ１１１が複数配置されている。試薬ディスク１２０には、試薬を収めた試薬ボトル１２１が複数配置されている。反応ディスク１３０の円周上には、内部でサンプルと試薬とを混合させて反応液とする反応セル１３１が複数配置されている。サンプル分注機構１４０は、支柱を軸として回動するアームとアームに固定されたノズルを備え、サンプルカップ１１１から反応セル１３１にサンプルを一定量分注する。試薬分注機構１５０は、支柱を軸として回動するアームとアームに固定されたノズルを備え、試薬ボトル１２１から反応セル１３１に試薬を一定量分注する。攪拌部１３５は、反応セル１３１内でサンプルと試薬を攪拌し混合させる。反応セル洗浄部１３６は、分析の終了した反応セル１３１から反応液を排出し洗浄する。洗浄された反応セル１３１には再びサンプル分注機構１４０から次のサンプルが分注され、試薬分注機構１５０から新しい試薬が分注されて、別の反応に使用される。反応セル１３１は温度・流量が制御された恒温槽内の恒温流体１３７に浸漬されており、反応セル１３１及びその中の反応液が一定温度に保たれた状態で移動される。恒温流体１３７には例えば水を用い、恒温流体温度は制御部により３７±０．１℃に温調される。反応ディスク１３０の円周上の一部に、透過光測定部１７０が設けられている。
【００２６】
図３は、透過光測定部の概略図である。透過光測定部１７０は筐体の内部に設けられ、ハロゲンランプ光源１７１からの光を反応セル１３１に照射し、サンプルに試薬を混合した反応液１３２を透過した光１７２を、回折格子１７３で分光後、フォトダイオードをアレイ上に並べたフォトダイオードアレイ１７４で受光する。受光する波長は例えば、３４０ｎｍ，４０５ｎｍ，４５０ｎｍ，４８０ｎｍ，５０５ｎｍ，５４６ｎｍ，５７０ｎｍ，６００ｎｍ，６６０ｎｍ，７００ｎｍ，７５０ｎｍ，８００ｎｍとする。フォトダイオードアレイ１７４で受光した各波長光のデータは、測定部を通じてＰＣ内のデータ格納部に送られる。
【００２７】
サンプル中のある成分量の分析は、次の手順で行われる。まず、サンプル分注機構１４０によりサンプルカップ１１１内のサンプルを反応セル１３１内に一定量分注する。次に、試薬分注機構１５０により試薬ボトル１２１内の試薬を反応セル１３１内に一定量分注する。これら分注の際は、サンプルディスク１１０、試薬ディスク１２０、反応ディスク１３０は制御部の制御下にそれぞれの駆動部によって回転駆動され、サンプルカップ１１１、試薬ボトル１２１、反応セル１３１を分注機構のタイミングに合わせて移動する。続いて、反応セル１３１内のサンプルと試薬とを攪拌部１３５により攪拌し、反応液１３２とする。反応液１３２の透過光は、反応ディスク１３０が回転中に、透過光測定部１７０を通過するたびに測定され、測定部からデータ格納部に反応過程データとして順次蓄積される。一定時間、例えば約１０分間測光後、反応セル洗浄部１３６により反応セル１３１内を洗浄し、次の検査項目の分析を行う。その間、必要であれば別の試薬を試薬分注機構１５０により反応セル１３１内に追加して分注し、攪拌部１３５により攪拌し、さらに一定時間測定する。これにより一定の時間間隔を持った反応液の反応過程データがデータ格納部に格納される。蓄積された反応過程データから、解析部においてそれぞれの検査項目ごとの検量線データに基づき成分量を分析する。各部の制御・分析に必要なデータは、入力部からデータ格納部に入力される。また、検量線データはデータ格納部に保持される。各種データや結果、及びアラームは出力部により表示等にて出力される。
【００２８】
図４は、本発明による自動分析装置の一実施例を示す概略図である。図４は要部のみを示す図であり、筐体上部と前面壁の様子を図示している。
【００２９】
サンプルディスク１１０や試薬ディスク１２０が配置されている筐体上部１００の前端１０１は、筐体前面壁１０２に対して突出している。換言すると、筐体前面壁１０２は筐体上部１００の前端１０１から後退して設けられている。筐体前面壁１０２には、プリンタ２００が設置され、プリンタ２００の下方にはプリンタから排出される印字済みのロール紙を受ける用紙受け部２１０が配置されている。本実施例では、プリンタ２００は筐体前面壁１０２に設けられた開口から挿入されて本体が筐体内に格納され、プリンタの用紙排出部のみが外部に露出している。用紙受け部２１０は、筐体前面壁１０２に固定された用紙案内部２１１と用紙案内部２１１にヒンジ２１３，２１４によって取り付けられたカバー２１２とで構成されている。プリンタ使用時には、図示したようにカバー２１２で用紙案内部２１１の側面を覆い、内部に形成される上部が開放された有底の空間にプリンタ２００から出力されてくる印字済みの長尺のロール紙を受け入れて蓄積する。印字が終了したら、プリンタ２００に備えられているカッターでロール紙を切断し、用紙受け部２１０のカバー２１２を空けて内部に貯まっている印字済みの用紙を取り出す。
【００３０】
図５は、プリンタと用紙受け部を含む筐体前面壁及びそれに繋がる筐体上部の断面模式図である。筐体上部１００はその前端１０１が筐体前面壁１０２に対して前方に突出するように形成されている。換言すると、筐体前面壁１０２は筐体上部１００の前端１０１から後退して設けられており、筐体上部１００はプリンタ２００の上方を庇のような形で覆っている。そして、プリンタ２００は、その用紙排出部が、庇を構成する筐体上部１００の前端１０１より筐体側に引っ込んだ場所に位置するようにして配置される。プリンタ２００の印字部２０１で印字された印字済みのロール紙は、用紙の先端が排紙されてきたときに指等で誘導することにより、実線２０２で示すように用紙受け部２１０に導いてその中に収容することもできるし、破線２０３で示すように用紙受け部２１０の外に導くこともできる。また、プリンタ２００は用紙を切断するためのカッター２０４を備える。
【００３１】
本実施例のこの配置により、以下のような効果が得られる。自動分析装置の筐体上部１００には、図１及び図２で説明したように、多数のサンプルカップ１１１を保持するサンプルディスク１１０及び多数の試薬ボトル１２１を保持する試薬ディスク１２０が配置されている。分析を開始するに当たっては、最初にサンプルの入ったサンプルカップ１１１をサンプルディスク１１０にセットする必要があり、この操作はオペレータによってマニュアルで行われる。サンプルカップ１１１をサンプルディスク１１０にセットする操作は、一連の分析を実行する途中で割り込み分析を行う際にも必要となる。このサンプルカップ１１１をサンプルディスク１１０にセットする操作において、誤ってサンプルをこぼしてしまうようなミスの発生が皆無とは言い切れない。
【００３２】
また、分析項目によって使用する試薬が異なるため、多くのサンプルを連続して分析するうちに試薬ディスクに保持されている複数種類の試薬のうちある試薬が残り少なくなって補充が必要になる場合がある。この試薬の補充はオペレータによってマニュアルで行われる。試薬の補充に当たっては、新しい試薬ボトルを試薬保管場所から持ってきて、試薬ボトルの蓋を開けた上で試薬ディスクにセットする。あるいは、補充すべき試薬が入ったボトルから試薬ディスクにセットされている試薬ボトルに試薬をつぎ足すことで行われる。この試薬補充の際にも、誤って試薬をこぼしてしまうミスの発生が皆無とは言い切れない。
【００３３】
本実施例では、サンプルや試薬がこぼれて筐体上面１００に溜まったとしても、プリンタ２００が筐体前面壁１０２に配置されているので、筐体上面１００に溜まっている液体がプリンタ２００やプリンタから排出されたロール紙に付着して印字済みのロール紙を汚染する心配がない。しかし、筐体上面である程度の量の液体がこぼされた場合、それが筐体上面から筐体側壁に滴下し、あるいは筐体側壁を伝わって流れてきてプリンタ用紙を汚すことが無いとは限らない。その場合であっても、筐体上部１００の前端１０１から後退して設けられた筐体前面壁１０２にプリンタ２００を配置した本実施例の構造によってプリンタ用紙の汚染を防ぐことが可能になる。すなわち、本実施例によると、プリンタ２００は筐体上部の前端１０１よりも内側に位置し、筐体上部１００の前端１０１の部分によって構成される庇によって保護されているため、たとえ筐体上部１００でサンプルや試薬がこぼされ、それが筐体上部の前端１０１から流れ落ちたとしても、プリンタやプリンタから排出された印字済みのロール紙に付着して汚染することはない。
【００３４】
次に、本実施例におけるプリンタの利用方法について説明する。自動分析装置に付属するプリンタの一般的な利用法としては、サンプルの分析結果を印字するという利用法がある。サンプルの分析結果を印字する方法には、一日分あるいは１ロット分の分析データまとめて印字する方法、患者単位で分析結果を印字する方法などがあり、分析結果をどのようにプリンタで印字するかは自動分析装置を使用するユーザの使い方に依存する。一日分あるいは１ロット分の分析データをまとめて印字する場合には、長尺なロール紙に連続して印字することになる。その長尺なロール紙をプリンタから垂れ下がるままにしておくと、いずれは床の上に折り重なった状態で散乱し、汚れたり、装置前面で操作するオペレータの邪魔になったりする。従って、このような場合には、プリンタ２００から排出されてきた用紙の先端を指等で用紙受け部２１０の入口に誘導し、印字済み用紙を用紙受け部２１０の中に通す。その結果、印字済み用紙は実線２０２で示すように用紙受け部２１０の中に清潔な状態を保って蓄積され、装置の外部に出ないのでオペレータの邪魔になることもない。一方、割り込み分析などを行って、患者単位で分析結果を印字したい場合などには、破線２０３で示すように印字済み用紙を用紙受け部２１０の外側に誘導し、排出された用紙から所望の印字部分をカッター２０４を使って切り取る使い方ができる。切り取った紙片は、患者カルテに貼るなどして利用することができる。
【００３５】
更に、プリンタの別の使い方として、試薬ディスクに装填されている試薬の残量が少なくなったときに、その試薬の名称、試薬ＩＤなどを印字する使い方がある。試薬ボトル１２１の容量は決まっているので、自動分析装置の制御部は、例えば個々の試薬ボトルから試薬分注機構１５０によって吸引した試薬量を積算することで各試薬ボトルの残量管理を行っている。そして、ある試薬ボトルの試薬残量が少なくなると表示部１６０に表示して準備を促し、補充が必要なタイミングが来ると例えば表示部１６０により報知すると共に自動分析装置の駆動を停止し、補充が必要な試薬の名称、試薬ＩＤなどをプリンタに出力して印字する。オペレータは、記録用紙からその試薬について印字された部分をカッター２０４により切り取り、その紙片を持って試薬保管場所に行き、複数種類の試薬の中から所望の試薬を誤りなく選択して装置に戻り、持参した試薬を試薬ディスクの所定位置の試薬ボトルに補充する。あるいは、持参した試薬ボトルを残量の少なくなった試薬ボトルと交換することで試薬の補充を行う。試薬の補充を行ったオペレータは、試薬保管場所に試薬情報が印字された紙片を残しておくことで、試薬の在庫管理や試薬の注文などの作業に役立てることもできる。
【００３６】
図６は、プリンタと用紙受け部を含む筐体前面壁及びそれに繋がる筐体上部の他の例の断面模式である。図６の実施例が図５に示した実施例と異なるのは、プリンタ２００が用紙出力部に用紙排出方向切替手段としてのフラッパー２０５を備える点だけである。フラッパー２０５は、手動により実線で示した下向き状態と、破線で示した水平状態の間を切替可能である。印字済みロール紙を実線２０２で示したように用紙受け部２１０に収納する場合にはフラッパー２０５を下向き状態にする。一方、印字済みロール紙を破線２０３で示したように用紙受け部２１０の外部に引き出したい場合にはフラッパー２０５を水平状態にする。フラッパー２０５を水平状態にすることにより、指等を用紙に添えることなく、印字済み用紙を用紙受け部２１０に収容せずに取り出すことができる。
【００３７】
図７は、本発明による自動分析装置の他の実施例を示す概略図である。自動分析装置の筐体前面壁１０２は、図４に示した実施例と同様に、筐体上部１００の前端１０１から後退して設けられ、筐体上部１００の前端１０１は筐体前面壁１０２の上方に庇のように張り出している。筐体前面壁１０２にはプリンタ２００が配置され、プリンタ２００の下方に用紙受け部２１０が配置されている。プリンタ２００の用紙排出部は、筐体上部１００の前端１０１より筐体側に引っ込んだ位置にある。本実施例の自動分析装置は、筐体前面壁１０２を覆うことのできる前面扉３００を備える。前面扉３００は、ヒンジによって筐体に開閉自在に取り付けられている。前面扉３００には、前面扉３００を閉じた状態でプリンタ２００から排出される用紙を通過させる開口３１０が設けられている。
【００３８】
図８は前面扉を閉めた状態を示す概略図、図９は前面扉を閉めた状態の断面模式図である。前面扉３００には筐体前面壁１０２に配置したプリンタ２００に対応する個所に扉表面から窪ませた窓部３２０が形成され、その窓部３２０に開口３１０が設けられている。窓部３２０は、プリンタ２００に対向するように位置づけられた底面３２１と、上面３２２、左右の側面３２３及び下面３２４を有し、上面３２２、左右の側面３２３及び下面３２４は、前面扉３００の表面と底面３２１とを接続している。開口３１０は底面３２１と下面３２４を跨いで設けられている。ここで、下面３２４は底面３２１から扉表面に向けて下向きに傾斜して形成され、開口３１０を左右の側面側及び扉表面側から囲んだ一辺が開放された枠状の形状を有する。
【００３９】
本実施例の自動分析装置において、図７に示すように前面扉３００が開いている時は、プリンタ２００の上方に位置する筐体上部１００の前端部分がプリンタ２００や用紙受け部２１０に対して庇の役割を果たす。そのため、筐体上部１００で液体がこぼされ、それが筐体上部１００の前端１０１を超えて滴下したとしても、プリンタ２００や用紙受け部２１０に収容されている印字済みロール紙を濡らすことはない。また、図８に示すように前面扉３００が閉じている時には、前面扉３００に設けた窓部３２０の上面３２２がプリンタ２００や用紙受け部２１０対して同様に庇の役割を果たす。従って、仮に筐体上部１００でこぼれた液体が前面扉３００の表面を伝って流れ落ちたとしても、前面扉３００の窓部３２０を挟んで扉表面から奥まったところに位置するプリンタ２００や用紙受け部２１０に収容された印字済み用紙を汚染することはない。
【００４０】
また、窓部３２０の下面３２４は、扉の裏側から扉表面の方に向かって下向きに傾斜するように形成され、扉表面側及び左右の側面側にマージンを残して開口３１０が形成されている。そのため、プリンタ２００の印字済み用紙を前面扉３００を通して取り出す場合に、窓部３２０の下面３２４の扉表面側マージン部分がガイドとなるので、印字済み用紙を窓部３２０を通してスムーズに取り出すことができる。一方、プリンタ２００から排出された印字済みロール紙を閉じられた前面扉３００の裏側に位置する用紙受け部２１０に収納する際には、プリンタ２００から排出されてくるロール紙の先端を指等で開口３１０の中に案内してやればよい。
【００４１】
図１０は、別の形状の前面扉を備える自動分析装置の実施例を示す断面模式図である。本実施例の前面扉４００は、筐体前面壁１０２に配置されたプリンタ２００に対応する個所に開口４１０を有する。開口４１０の上端には、扉表面から突出するように庇部４２０が形成されている。
【００４２】
本実施例においても、前面扉４００が開いている時は、プリンタ２００の上方に位置する筐体上部１００の前端部分がプリンタ２００や用紙受け部２１０に対して庇の役割を果たす。そのため、筐体上部１００で液体がこぼされ、それが筐体上部１００の前端１０１を超えて滴下したとしても、プリンタ２００や用紙受け部２１０に収容されている印字済みロール紙を濡らすことはない。また、前面扉４００が閉じている時には、前面扉４００に形成された庇部４２０があるため、筐体上部１００でこぼれた液体が前面扉４００の表面を伝って流れ落ちたとしても、庇部４２０によって遮られるためプリンタ２００や用紙受け部２１０に収容された印字済み用紙を汚すことはない。
【００４３】
また、プリンタ２００の用紙出力部に用紙排出方向切替手段としてフラッパー２０５を設けてもよい。印字済みロール紙を実線で示すように用紙受け部２１０に収納する場合にはフラッパー２０５を下向き状態にし、印字済みロール紙を破線で示したように前面扉４００の開口部４１０を通して取り出したい場合にはフラッパー２０５を水平状態にする。フラッパー２０５を水平状態にすることにより、指等を用紙に添えることなく、前面扉４００の開口４１０を通して取り出すことが可能になる。
【００４４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４５】
１００  筐体上部
１０１  筐体上部の前端
１０２  筐体前面壁
１１０  サンプルディスク
１１１  サンプルカップ
１２０  試薬ディスク
１２１  試薬ボトル
１３０  反応ディスク
１３１  反応セル
１４０  サンプル分注機構
１５０  試薬分注機構
１６０  表示部
１７０  透過光測定部
２００  プリンタ
２０５  フラッパー
２１０  用紙受け部
３００  前面扉
３１０  開口
３２０  窓部
４００  前面扉
４１０  開口
４２０  庇部
【図１】
2015049154.tif 000003
【図２】
2015049154.tif 000004
【図３】
2015049154.tif 000005
【図４】
2015049154.tif 000006
【図５】
2015049154.tif 000007
【図６】
2015049154.tif 000008
【図７】
2015049154.tif 000009
【図８】
2015049154.tif 000010
【図９】
2015049154.tif 000011
【図１０】
2015049154.tif 000012